(57)【要約】      （修正有）【課題】保管スペースをあまり取らず、洗濯が容易で、製造コストの低減化を図ると共に、使用勝手やファッション性の向上を図ったワンピース型バスタオルを提供する。【解決手段】ワンピース型バスタオルは、横長矩形状のバスタオル地１により構成され、該バスタオル地１には、上辺２に沿って横長のスリット孔３Ｌ，３Ｒを左右にそれぞれ設ける。さらに、左右両側に留め具４Ｌ，４Ｒを設け、左右のスリット孔３Ｌ，３Ｒに着用者の左右の腕をそれぞれ通し、バスタオル地１を着用者の体に巻き付け、留め具４Ｌ，４Ｒを留めることによって着用可能とする。【選択図】図１
0003169259.tif 000002
【実用新案登録請求の範囲】
【請求項１】
横長矩形状のバスタオル地により構成され、該バスタオル地には、上辺に沿って横長のスリット孔が左右にそれぞれ設けられていると共に、左右両側に留め具が設けられており、前記左右のスリット孔に着用者の左右の腕をそれぞれ通し、前記バスタオル地を着用者の体に巻き付け、前記留め具を留めることによって着用可能となっていることを特徴とするワンピース型バスタオル。
【考案の詳細な説明】
【技術分野】
【０００１】
本考案は、入浴後等に体に巻き付けて使用するワンピース型バスタオルに関するものである。
【背景技術】
【０００２】
従来、入浴後に、体に付着した水分や汗を吸収させるため、バスローブを着用したり、バスタオルを体に巻き付けたりしている（例えば、非特許文献１参照）。
【先行技術文献】
【非特許文献】
【０００３】
【非特許文献１】楽天市場ショッピングサイト                                                  http://search.rakuten.co.jp/search/mall/-/510870/
【考案の概要】
【考案が解決しようとする課題】
【０００４】
しかしながら、上記した従来のバスローブは、ガウンのような複雑な形状を成しているため、製造に手間が掛かり、製造コストの低減化が図り難いといった問題や、嵩張るため、保管スペースを取り、洗濯が面倒であるといった問題などがあった。
【０００５】
一方、バスタオルを体に巻き付ける場合には、ずり落ち易く、使用勝手が悪いといった問題や、ファッション性に乏しいといった問題などがあった。
【０００６】
本考案は、上記した課題を解決すべくなされたものであり、保管スペースをあまり取らず、洗濯が容易で、製造コストの低減化を図ることができると共に、使用勝手やファッション性の向上を図ることのできるワンピース型バスタオルを提供することを目的とするものである。
【課題を解決するための手段】
【０００７】
上記した目的を達成するため、本考案に係るワンピース型バスタオルは、横長矩形状のバスタオル地により構成され、該バスタオル地には、上辺に沿って横長のスリット孔が左右にそれぞれ設けられていると共に、左右両側に留め具が設けられており、前記左右のスリット孔に着用者の左右の腕をそれぞれ通し、前記バスタオル地を着用者の体に巻き付け、前記留め具を留めることによって着用可能となっていることを特徴とする。
【考案の効果】
【０００８】
本考案によれば、保管スペースをあまり取らず、洗濯が容易で、製造コストの低減化を図ることができると共に、使用勝手やファッション性の向上を図ることができる等、種々の優れた効果を得ることができる。
【図面の簡単な説明】
【０００９】
【図１】本考案の実施の形態に係るワンピース型バスタオルを示す平面図である。
【図２】本考案の実施の形態に係るワンピース型バスタオルを着用した状態を示す正面図である。
【考案を実施するための形態】
【００１０】
以下、図面を参照しつつ、本考案の実施の形態に係るワンピース型バスタオルについて説明する。ここで、図１は本考案の実施の形態に係るワンピース型バスタオルを示す平面図、図２は本考案の実施の形態に係るワンピース型バスタオルを着用した状態を示す正面図である。
【００１１】
本実施の形態に係るワンピース型バスタオルは、バスタオル地１により構成されている。このバスタオル地１は、左右の長さが約１３５ｃｍで高さが約８３ｃｍのロング丈の横長矩形状を成しており、パイル地マイクロファイバーにより形成されている。
【００１２】
バスタオル地１には、上辺２に沿って横長のスリット孔３Ｌ，３Ｒが左右にそれぞれ形成されており、左右のスリット孔３Ｌ，３Ｒの間の上辺２は僅かに下方に湾曲して形成されている。また、バスタオル地１の左右両側には、留め具４Ｌ，４Ｒとしてのスナップボタンがそれぞれ上下に２個ずつ取り付けられており、一方側（図１では左側）の留め具４Ｌはバスタオル地１の一側縁部（図１では左側縁部）より少し中央寄り部分に取り付けられ、他方側（図１では右側）の留め具４Ｒはバスタオル地１の他側縁部（図１では右側縁部）に沿って取り付けられている。
【００１３】
上記した構成を備えた本考案の実施の形態に係るワンピース型バスタオルを着用する場合、着用者Ｐは、バスタオル地１を羽織るようにした姿勢で左右のスリット孔３Ｌ，３Ｒに左右の腕をそれぞれ通した後、バスタオル地１を体に巻き付けて、体の前側で各留め具４Ｌ，４Ｒをそれぞれ留める。これにより、バスタオル地１は、図２に示すように、ワンピース型のバスタオルとなり、着用者Ｐの体をしっかりと包み込む。
【００１４】
このように、上記した本考案の実施の形態に係るワンピース型バスタオルによれば、風呂上がりに容易且つ素早く着用することができ、着用者Ｐの体をしっかりと包み込むことができる。また、着用時にワンピース型となると共に留め具４Ｌ，４Ｒで留めることができるため、ずり落ちることがなく、使い勝手を高めることができると共に、ファッション性を高めることもできる。
【００１５】
さらに、パイル地マイクロファイバー製でロング丈のバスタオル地１により形成されているため、着用時にソフトな感触で毛落ちもなく、速乾性に優れ、水分を素早く吸収すると共に、洗濯してもすぐに乾燥させることができる。さらにまた、製造が簡単であるため、製造コストの低減化を図ることができると共に、保管スペースがあまり必要とせず、洗濯が容易となる。
【００１６】
また、上記した優れた効果を発揮することにより、入浴後に限らず、海やプール、或いはスポーツ時などのあらゆる場面で使用することができ、用途の拡大化を図ることも可能となる。
【００１７】
なお、上記した本考案の実施の形態の説明は、本考案に係るワンピース型バスタオルにおける好適な実施の形態を説明しているため、素材や形状、寸法等において技術的に好ましい種々の限定を付している場合もあるが、本考案の技術範囲は、特に本考案を限定する記載がない限り、これらの態様に限定されるものではない。
【００１８】
さらに、上記した本考案の実施の形態における構成要素は適宜、既存の構成要素等との置き換えが可能であり、かつ、他の既存の構成要素との組合せを含む様々なバリエーションが可能であり、上記した本考案の実施の形態の記載をもって、特許請求の範囲に記載された考案の内容を限定するものではないことは言う迄もない。
【符号の説明】
【００１９】
１          バスタオル地
２          上辺
３Ｌ        スリット孔
３Ｒ        スリット孔
４Ｌ        留め具
４Ｒ        留め具
Ｐ          着用者
【図１】
0003169259.tif 000003
【図２】
0003169259.tif 000004